(57)【特許請求の範囲】
【請求項１】
圧搾可能な胴部を有し、該胴部上端から肩部５を介して口頸部６を起立する左右一対の異種クリーム状物収納用の半単位容器体２、２の胴部相互を接して設けた単位容器体１と、第１頂壁12から垂下させた左右二つの連通筒13、13を、上記口頸部６、６へそれぞれ水密に嵌合させると共に、それ等連通筒13、13が囲む第１頂壁部分を開口させて、該開口14、14周縁から左右一対のノズル15、15を起立させ、それ等両ノズル先端口部を近接させた第１キャップ状部材11と、上記両ノズル口部を第２頂壁23で開閉自在に閉塞すると共に、第２頂壁後部を第１キャップ状部材11後部へ上記両ノズル口部の中心を結ぶ線とほぼ平行に設けたヒンジ22を介し連結して、第１キャップ状部材と一体に形成された、第２キャップ状部材21とを有し、上記両ノズル形成壁の前後両面間を前後両壁部18、18で連結させて、上記両ノズルを外見上一箇の連続ノズル19としたことを特徴とする、混合用クリーム状物注出容器。
【請求項２】
上記半単位容器体２、２を、弯曲壁部３両側を垂直壁部４の両側に接合させると共にこれ等両壁部下端を板状に接合させて胴部となし、該胴部上端から肩部５を介して口頸部６を起立させて設け、上記半単位容器体２、２の垂直壁部４、４相互を重合わせて単位容器体１としたことを特徴とする請求項１記載の混合用クリーム状物注出容器。
【請求項３】
上記ヒンジを弾性反転可能な三点ヒンジとしたことを特徴とする請求項１又は２記載の混合用クリーム状物注出容器。
【発明の詳細な説明】
【０００１】
【発明の属する技術分野】
本発明は混合用クリーム状物注出容器に関する。
【０００２】
【従来の技術】
例えば特開平７−３１５４４８号が示すように、起伏自在なノズルを有し、該ノズルを起立させた状態での容器体胴部の圧搾により容器体内液体をノズルから注出可能に設けた液体注出容器を、二箇胴部を接して連結させると共に、各容器のノズルを起立させたとき、それ等両ノズルの注出口が近接して、両容器体胴部圧搾により各注出口から噴出した両液体が混合するよう設けた混合液注出容器が知られている。
【０００３】
【発明が解決しようとする課題】
上記従来容器は、容器上部に露出させた二本のノズルをそれぞれ起伏させなければならない面倒があった。
【０００４】
本発明はそれ等欠点を除去可能に設けたものである。
【０００５】
【課題を解決するための手段】
第１の手段として、圧搾可能な胴部を有し、該胴部上端から肩部５を介して口頸部６を起立する左右一対の異種クリーム状物収納用の半単位容器体２、２の胴部相互を接して設けた単位容器体１と、第１頂壁12から垂下させた左右二つの連通筒13、13を、上記口頸部６、６へそれぞれ水密に嵌合させると共に、それ等連通筒13、13が囲む第１頂壁部分を開口させて、該開口14、14周縁から左右一対のノズル15、15を起立させ、それ等両ノズル先端口部を近接させた第１キャップ状部材11と、上記両ノズル口部を第２頂壁23で開閉自在に閉塞すると共に、第２頂壁後部を第１キャップ状部材11後部へ上記両ノズル口部の中心を結ぶ線とほぼ平行に設けたヒンジ22を介し連結して、第１キャップ状部材と一体に形成された、第２キャップ状部材21とを有し、上記両ノズル形成壁の前後両面間を前後両壁部18、18で連結させて、上記両ノズルを外見上一箇の連続ノズル19とした。
【０００６】
第２の手段として、上記第１の手段を有すると共に、上記半単位容器体２、２を、弯曲壁部３両側を垂直壁部４の両側に接合させると共にこれ等両壁部下端を板状に接合させて胴部となし、該胴部上端から肩部５を介して口頸部６を起立させて設け、上記半単位容器体２、２の垂直壁部４、４相互を重合わせて単位容器体１とした。
【０００７】
第３の手段として、上記第１又は第２の手段を有すると共に、上記ヒンジを弾性反転可能な三点ヒンジとした。
【０００８】
第４の手段として、上記第１、第２又は第３の手段を有すると共に、上記両ノズル形成壁の前後両面間を前後両壁部26、26で連結させて、上記両ノズルを外見上一箇の連続ノズル27とした。
【０００９】
第５の手段として、上記第１、第２、第３又は第４の手段を有すると共に、上記ヒンジを弾性反転可能な三点ヒンジとした。
【００１０】
【発明の実施の形態】
以下図面について説明すると、１は単位容器体で、該容器体は一対の半単位容器体２、２の胴部を接して設けたものである。半単位容器体は、横断面半円状に、弯曲壁部３の両側を、垂直壁部４の両側に接合させると共に、これ等両壁部の下端を、公知のチューブ容器に見られるように板状に接合させシールして弾性圧搾可能な胴部を形成し、又その胴部上端から肩部５を介して口頸部６を起立する。これ等口頸部は半円状肩部５の各中央部から起立している。
【００１１】
それ等半単位容器体は、上記垂直壁部４、４相互を重合せて単位容器体１を形成する。それ等垂直壁部相互は接着させてもよい。
【００１２】
11は第１キャップ状部材で、第１頂壁12から二つの連通筒13、13を垂下する。連通筒13、13はそれぞれ上記半単位容器体の口頸部６、６へそれぞれ水密に嵌合させるもので、連通筒が囲む第１頂壁部分を開口14、14させ、又それ等開口周縁からノズル15、15を起立する。図示例では連通筒13、13を口頸部内面へ嵌合させ、又小間隙をおいて連通筒13を囲む第１頂壁部分からは嵌合筒16を垂下して該嵌合筒を口頸部外面へ嵌合させ、それ等口頸部外面と嵌合筒内面とに設けた凹凸の係合手段で嵌合筒内からの口頸部の抜け落ちを防止している。第１頂壁12外周からは第１頂壁17を垂下している。上記ノズルは図１が示すように両ノズルの筒壁前後両面間部分を前後両壁部18、18で一体に接合させて、二箇のノズル孔を有している外見上一筒の連続ノズル19としてもよい。
【００１３】
上記ノズル孔上端の口部は、別に設けた栓等で閉塞させることが考えられるが、図示例では第２キャップ状部材21を、ヒンジ22を介して第１キャップ状部材11の後部へ付設して、該第２キャップ状部材が有する第２頂壁23で開閉可能としている。第２頂壁23からは図１が示すようにノズル孔の上端部内へ嵌合させる筒栓24、24を垂下させるとよい。又上記ヒンジ22は該第２キャップ状部材を弾性反転させることの可能な、公知の三点ヒンジで形成することが好ましい。図示例では第２頂壁から第２周壁25を垂下し、該周壁と第２頂壁および第１周壁とで三点ヒンジを形成している。
【００１４】
上記各部材はそれぞれ合成樹脂材で形成しており、第１キャップ状部材11と第２キャップ状部材21とは一体成形している。
【００１５】
既述構成において、第２キャップ状部材閉塞状態から該第２キャップ状部材21を開き、半単位容器体２、２の各胴部を共に圧搾すると、各胴部内に収納された異種のクリーム状物はそれぞれに設けられた口頸部６、連通筒13を通ってノズル15、15から注出されるから、これ等クリーム状物を手或いは皿等で受けて混合させ、該混合クリーム状物を使用する。注出後は第２キャップ状部材21、又該第２キャップ状部材を設けない場合は別に設けた閉塞具により各ノズル孔上端部を閉塞する。
【００１６】
図５は第２実施形態を示す。該実施形態は図１との比較により理解出来るように、左右一対として設けた半単位容器体２、２の横断面形状を半円状として、それ等両胴部の垂直壁部４、４相互を接して設け、又それ等の各肩部５、５の各前部から口頸部６、６を起立させ、それに伴って第１キャップ状部材11の連通筒および嵌合筒16、16、ノズル15、15、更に第２キャップ状部材21の筒栓24、24を、それぞれ第１頂壁12の前部、および第２頂壁23の前部に設けたものである。その他部分は第１実施形態の場合と同じであり、よって同一符号を付することで説明を省略する。
【００１７】
このように形成することで、両ノズル15、15を第１キャップ状部材、第１頂壁12の前部左右に位置させることが出来、注出が行い易い。
【００１８】
【発明の効果】
本発明は既述構成とするものであり、請求項１記載の場合は、既述従来例の場合のようなノズル起伏の面倒がなく、又部材数が少なくてよく、更に半単位容器体２、２とノズル15、15とが共に左右に位置するよう設けているから、クリーム状物注出に際して、右方半単位容器体を手前側に、左方半単位容器体を先方側に、それぞれ位置させた状態で各胴部を圧搾し乍ら各半単位容器体前部を下方に傾けて注出でき、このようにすると両ノズルは同じ高さに位置して注出することとなるから、このような注出を行う消費者にとって便利である。
【００１９】
又、両ノズル口部の中心を結ぶ線とほぼ平行に第１キャップ状部材の後部に第２キャップ状部材21を連結するヒンジ22を設けることで、上記両ノズルから注出するクリーム状物が第２キャップ状部材21に隠れて見え難くなることがなく、又その第２キャップ状部材があるから、両ノズル口部の開閉が容易となり、更に第２キャップ状部材のノズル部分の外見を向上させることが出来る。
【００２０】
請求項２のように形成することで、半単位容器体の各胴部を同時に圧搾することが容易となる。
【００２１】
請求項４のように形成することで、第２キャップ状部材のノズル部分の外見を向上させることが出来る。
【００２２】
請求項３のようにすることで、第３キャップ状部材の開閉が容易となる。
【図面の簡単な説明】
【図１】  本発明容器要部の分解斜視図である。
【図２】  本発明容器要部の左右方向への縦断面図である。
【図３】  本発明容器要部の前後方向縦断面図である。
【図４】  本発明容器の正面図である。
【図５】  第２実施形態で示す、容器要部の分解斜視図である。
【符号の説明】
１…単位容器体                ２…半単位容器体
11…第１キャップ状部材        21…第２キャップ状部材
【図１】
0003807536.tif 000002
【図２】
0003807536.tif 000003
【図３】
0003807536.tif 000004
【図４】
0003807536.tif 000005
【図５】
0003807536.tif 000006